(57)【特許請求の範囲】
【請求項１】
犬舎本体の天板上面の前後方向に少なくとも２本の下段スライドレールを、底板下面に同様に２本の上段スライドレールを、積載すべき上下犬舎のそれらが互いに対向するように所定の間隔を置いて平行に設け、積載すべき上下犬舎の上・下段スライドレールの対向面を前後方向にスライドしつつ互いに係止可能な一対のロック金具を前記上・下段スライドレールに各々付設したことを特徴とする組み立て犬舎。
【請求項２】
上段スライドレール側のロック金具を、水平な係止差込板部と垂直な基板部とにより正面略逆Ｌ字形状に形成し、一方、下段スライドレール側のロック金具を、水平な係止受板部と垂直な基板部とにより正面略逆Ｌ字形状に形成してなることを特徴とする請求項１記載の組み立て犬舎。
【発明の詳細な説明】
【０００１】
【発明の属する技術分野】
本発明は、組み立て犬舎に関する。
【０００２】
【従来の技術】
図６に示したように、従来、動物病院等では、犬や猫などペット類を収納するステンレス製の犬舎ａが使われている。この犬舎ａは、正面が開口され、その開口部ｂの一側に蝶番を介して片開自在にステンレス製丸棒からなる透視扉ｃが蝶持された構成である。
【０００３】
ところで、動物病院等では、部屋のスペース等に応じて所要個数の上記犬舎ａ・・・を縦横に積載することによって設置している。
【０００４】
しかし、多数の犬舎ａ・・・を単に積載するだけでは倒壊するおそれがあるため、犬舎同士を互いに結合するロック機構ｄが用いられている。
【０００５】
従来、このロック機構ｄは図６に示したように、各犬舎ａ・・・正面のコーナー部ａ1・・・間を覆うように結合プレートｅを設け、該結合プレートｅを複数本のビスｆ・・・（図示例では８本）にて各犬舎ａ・・・に固定しロックする構造である。
【０００６】
【発明が解決しようとする課題】
しかしながら、従来の上記ロック機構ｄでは、ビスｆ・・・の脱着が面倒で手間と時間が掛かりすぎると共に、犬舎正面に結合プレートｅ・・・および多数のビスｆ・・・が露出しているため見栄えが悪い等のデザイン上の問題がある。
【０００７】
本発明は、上記した従来の技術が有するこのような問題点に鑑みてなされたもので、犬舎の天板および底板に互いに係合するロック金具を設けることにより、ワンタッチによる簡単な操作で上下犬舎の係・脱ができると共に、犬舎正面の見栄えも良くデザイン上も優れた組み立て犬舎を提供することを目的とする。
【０００８】
【課題を解決するための手段】
上記目的を達成するために、本発明に係る組み立て犬舎は、請求項１では、犬舎本体の天板上面の前後方向に少なくとも２本の下段スライドレールを、底板下面に同様に２本の上段スライドレールを、積載すべき上下犬舎のそれらが互いに対向するように所定の間隔を置いて平行に設け、積載すべき上下犬舎の上・下段スライドレールの対向面を前後方向にスライドしつつ互いに係止可能な一対のロック金具を前記上・下段スライドレールに各々付設したことを特徴とする。
【０００９】
さらに、請求項２では、上段スライドレール側のロック金具を、水平な係止差込板部と垂直な基板部とにより正面略逆Ｌ字形状に形成し、一方、下段スライドレール側のロック金具を、水平な係止受板部と垂直な基板部とにより正面略逆Ｌ字形状に形成してなることを特徴とする。
【００１０】
【作用】
下段の犬舎本体における天板上面に設けられた下段スライドレール上の前側に、上段の犬舎本体を後方に下傾しつつ底板下面に設けられた上段スライドレールの後端を載せる。
【００１１】
そして、この状態で上段の犬舎本体を後方へ押しながら除々に犬舎本体の前部を下げると、上段スライドレールが下段スライドレール上をスライドして後方へ真直ぐ移動するが、所定の位置まで移動すると、上段スライドレールの後方に付設されたロック金具と下段スライドレールの後方に付設されたロック金具とが互いに係止される。
【００１２】
上段スライドレールのロック金具は、水平な係止差込板部と垂直な基板部とにより形成され、下段スライドレールのロック金具は、水平な係止受板部と垂直な基板部とにより形成されているため、下段スライドレールの係止受板部の下側へ上段スライドレールの係止差込板部が差し込まれ、両板部は互いに弾力性をもって係止、保持される。
【００１３】
次いで、上段の犬舎の前方を下段の犬舎の上面まで下し、上段の犬舎のフランジ下端に垂下している係止板を下段の犬舎のフランジ上端後縁に係止させる。
このようにして上段の犬舎は下段の犬舎に対して前方および左右両側へスライドすることなく固定、保持される。
【００１４】
【発明の実施の形態】
以下、本発明の実施形態を図面に基づいて説明する。
図１は、本発明に係るロック機構を備えた２個の上下犬舎の組み立て前の状態を示す斜視図であり、図２は、同上の要部の側面図であり、図３は、ロック機構のロック前とロック状態を示す各側面図であり、図４は、ロック機構のロック状態を示す拡大断面図であり、図５は、左右両側の犬舎同士を連結金具によって連結固定する前の状態を示す斜視図である。
【００１５】
図１および図２に示したように、犬舎Ａは、ステンレスを素材として、正面横長矩形状の箱型の犬舎本体１を備え、該犬舎本体１の正面に開口部２を形成すると共に、該開口部２に、ステンレスバーからなる透視扉３が蝶番４を介して片開自在に蝶持させた構成である。
図中５は、上記開口部２の外側に設けたフランジを示す。
【００１６】
上下に積載される犬舎Ａ、Ａ同士を固定するロック機構Ｂは、次のように構成される。
犬舎本体１の天板１ａ上面の前後方向に２本の下段スライドレール６、６を、底板１ｂ下面に同様に２本の上段スライドレール７、７を、積載すべき犬舎Ａ、Ａのそれらが互いに対向するように所定の間隔を置いて平行に設けてあり、かつ下段スライドレール６、６の外側には、ガイドプレート６ａ、６ａが上方へ垂直に突出させてある。
なお、上記スライドレール６、６、７、７は全て断面四角筒状のステンレスをもって構成されている。
【００１７】
そして、上記スライドレール６、６、７、７の後方には、積載すべき犬舎Ａ、Ａの各スライドレール６、６と７、７の対向面を前後方向にスライドしつつ互いに係止可能な弾性を有するステンレス製のロック金具８、８、９、９を各一対ずつ付設してある。
【００１８】
上記下段スライドレール６、６側のロック金具８、８は、水平な係止受板部８ａ、８ａと垂直な基板部８ｂ、８ｂとにより正面略逆Ｌ字形状に形成されており、基板部８ｂ、８ｂの外側を下段スライドレール６、６の後部内側対向面に各固着し、同スライドレール６、６の内方へ水平な係止受部８ａ、８ａを対向突出させてある。
【００１９】
上記上段スライドレール７、７のロック金具９、９は、水平な係止差込板部９ａ、９ａと垂直な基板部９ｂ、９ｂとにより正面略逆Ｌ字形状に形成されており、基板部９ｂ、９ｂの外側を上段スライドレール７、７の後部内側対向面に各固着し、同スライドレール７、７の内方へ水平な係止差込板部９ａ、９ａを対向突出させてある。
【００２０】
上記係止差込板部９ａ、９ａは図３に示したように、先端側に、上段スライドレール７、７の下面よりやや下方へ折曲させることで前記ロック金具８、８の水平な係止受板部８ａ、８ａに対するガイド曲面９ｃ、９ｃを形成させてある。
【００２１】
また、各犬舎Ａ・・・には、図１および図２に示したようにフランジ５の下部後側の中央に、下部犬舎Ａのフランジ５の上部後縁に係止可能なステンレス製の係止板１０を垂下させてある。
【００２２】
さらに、図５において、１１は左右の犬舎Ａ、Ａ同士をワンタッチにて固定するためのステンレス製の連絡金具であって、左右両端を前方へ略コ字形状に折曲することにより挟持部１１ａ、１１ａを形成し、該挟持部１１ａ、１１ａを犬舎Ａ、Ａのフランジ５、５の隣接するコーナー部の後縁へ脱着自在に嵌合しえるように構成されている。
【００２３】
【発明の効果】
本発明は、以上詳述したように構成されるものであるから、犬舎本体の天板上面および底板下面に、上、下段スライドレールを、積載すべき上下犬舎のそれらが互いに対向するように所定の間隔を置いて平行に設け、積載すべき上下犬舎の上、下段スライドレールの対向面を前後方向へスライドしつつ互いに係止可能な一対のロック金具を設けたものであって、該ロック金具を、水平な係止差込板部と垂直な基板部および水平な係止受板部と垂直な基板部とにより形成したことにより、犬舎同士を堅固に連結、固定できるのは勿論、当該ロック金具をワンタッチによる簡単な操作で上下犬舎の係・脱できるため操作性に優れると共に、犬舎正面にロック部材が露出しないため見栄えが良く外観的なデザインにも優れる。
【図面の簡単な説明】
【図１】  本発明に係るロック機構を備えた２個の上下犬舎の組み立て前の状態を示す斜視図である。
【図２】  同上の要部の側面図である。
【図３】（Ａ）、（Ｂ）
ロック機構のロック前とロック状態を示す各側面図である。
【図４】  ロック機構のロック状態を示す拡大断面図である。
【図５】  左右両側の犬舎同士を連絡金具によって連結固定する前の状態を示す斜視図である。
【図６】  従来のロック機構を備えた犬舎を複数組み合せた状態を示す部分正面図である。
【符号の説明】
Ａ        犬舎
Ｂ        ロック機構
１        犬舎本体
１ａ      天板
１ｂ      底板
２        開口部
３        扉
６        下段スライドレール
７        上段スライドレール
８、９    ロック金具
８ａ      係止受板部
８ｂ      基板部
９ａ      係止差込板部
９ｂ      基板部
１０      係止板
【図１】
0003814139.tif 000002
【図２】
0003814139.tif 000003
【図３】
0003814139.tif 000004
【図４】
0003814139.tif 000005
【図５】
0003814139.tif 000006
【図６】
0003814139.tif 000007